(57)【要約】【課題】  カラーホイールの破損を防止し、且つ、ホイールモータに強固に固定することができるカラーホイールユニットを提供すること【解決手段】  カラーホイールユニット230は、カラーホイール231と、ホイールモータ232と、カラーホイール231をホイールモータ232に取り付けるホイールモータ取付部233とを備え、ホイールモータ取付部233は、底面部をローター236に接着固定する固定ハブ239と、当該固定ハブ239との間でカラーホイール231を狭持する締め付けハブ240とを備え、固定ハブ239と締め付けハブ240との間には弾性空間247を備えているものである。【選択図】      図４
2008046195.tif 000002
【特許請求の範囲】
【請求項１】
色の異なるフィルタを配置したカラーホイールと、
ホイールモータのローターと共に回転するリング状の固定ハブと、
円形板状のハブ本体板の周縁から突出してカラーホイールに接する周縁抑え部を備えた締め付けハブを有し、
前記締め付けハブの周縁抑え部により前記カラーホイールを固定ハブに押圧固定していることを特徴とするカラーホイールユニット。
【請求項２】
前記固定ハブは、中央に開口を有するリング形状のハブ本体部と、ハブ本体部の中心軸を軸としてハブ本体部の内側周縁から突出するホイール固定部を備え、当該ホイール固定部の外周の直径は前記カラーホイールの固定用開口部の直径と略同一であり、
前記カラーホイールの固定用開口部に前記固定ハブのホイール固定部が貫装されていることを特徴とする請求項１に記載のカラーホイールユニット。
【請求項３】
前記固定ハブと締め付けハブを圧縮固定する押圧螺子を有し、
前記固定ハブの内側周縁近傍部と、前記締め付けハブのハブ本体板と、周縁抑え部とに囲まれた空間を弾性空間とし、
前記押圧螺子により前記締め付けハブと前記固定ハブを螺着して前記カラーホイールを固定していることを特徴とする請求項１又は請求項２に記載のカラーホイールユニット。
【請求項４】
前記固定ハブのホイール固定部は筒状に形成され、
前記締め付けハブは、前記周縁抑え部から一定距離をおいた位置に周縁抑え部の高さよりも高い嵌合筒を有し、
前記嵌合筒は前記ホイール固定部の内面に嵌合して固定され、
前記ホイール固定部の先端部と前記ハブ本体板との間に弾性空間を有していることを特徴とする請求項２に記載のカラーホイールユニット。
【請求項５】
前記固定ハブのホイール固定部の内周縁下部には前記ハブ本体部が突出して段差を形成していることを特徴とする請求項４に記載のカラーホイールユニット。
【請求項６】
前記固定ハブのホイール固定部は筒状に形成され、前記ホイール固定部の先端の内周縁の延長線上には筒状のカシメ部を有し、当該カシメ部の下部と前記ホイール固定部の先端には段差が形成されており、
前記カシメ部はカシメ用開口部を貫通して締め付けハブの前方側で先端をカシメることにより固定していることを特徴とする請求項２に記載のカラーホイールユニット。
【請求項７】
光源装置と、
カラーホイールユニットと、
光源側光学系と、
表示素子と、
投影側光学系と、
冷却ファンと、
ランプ電源回路やプロジェクタ制御手段とを備え、
前記カラーホイールユニットは、
色の異なるフィルタを配置したカラーホイールと、
ホイールモータのローターと共に回転するリング状の固定ハブと、
円形板状のハブ本体板の周縁から突出してカラーホイールに接する周縁抑え部を備えた締め付けハブを有し、
前記締め付けハブの周縁抑え部により前記カラーホイールを固定ハブに押圧固定していることを特徴とするプロジェクタ。
【請求項８】
前記固定ハブは、中央に開口を有するリング形状のハブ本体部と、ハブ本体部の中心軸を軸としてハブ本体部の内側周縁から突出するホイール固定部を備え、当該ホイール固定部の外周の直径は前記カラーホイールの固定用開口部の直径と略同一であり、
前記カラーホイールの固定用開口部に前記固定ハブのホイール固定部が貫装されていることを特徴とする請求項７に記載のプロジェクタ。
【請求項９】
前記固定ハブと締め付けハブを圧縮固定する押圧螺子を有し、
前記固定ハブの内側周縁近傍部と、前記締め付けハブのハブ本体板と、周縁抑え部とに囲まれた空間を弾性空間とし、
前記押圧螺子により前記締め付けハブと前記固定ハブを螺着して前記カラーホイールを固定していることを特徴とする請求項７又は請求項８に記載のプロジェクタ。
【請求項１０】
前記固定ハブのホイール固定部は筒状に形成され、
前記締め付けハブは、前記周縁抑え部から一定距離をおいた位置に周縁抑え部の高さよりも高い嵌合筒を有し、
前記嵌合筒は前記ホイール固定部の内面に嵌合して固定され、
前記ホイール固定部の先端部と前記ハブ本体板との間に弾性空間を有していることを特徴とする請求項８に記載のプロジェクタ。
【請求項１１】
前記固定ハブのホイール固定部の内周縁下部には前記ハブ本体部が突出して段差を形成していることを特徴とする請求項１０に記載のプロジェクタ。
【請求項１２】
前記固定ハブのホイール固定部は筒状に形成され、前記ホイール固定部の先端の内周縁の延長線上には筒状のカシメ部を有し、当該カシメ部の下部と前記ホイール固定部の先端には段差が形成されており、
前記カシメ部はカシメ用開口部を貫通して締め付けハブの前方側で先端をカシメることにより固定していることを特徴とする請求項８に記載のプロジェクタ。
【発明の詳細な説明】
【技術分野】
【０００１】
本発明は、カラーホイールユニット及び当該カラーホイールユニットを内蔵するプロジェクタに関する。
【背景技術】
【０００２】
今日、パーソナルコンピュータの画面やビデオ映像などをスクリーンに投影する画像投影装置としてビデオプロジェクタが多用されている。
このプロジェクタは、高輝度の光源が用いられ、メタルハイランドランプや超高圧水銀ランプなどの小型高輝度の放電ランプにリフレクタとしての凹面反射鏡を取り付けたランプユニットをプロジェクタの光源装置としてプロジェクタに組み込むことが多い。
【０００３】
そして、このランプユニットでは、回転放物線状のリフレクタ又は回転楕円面状のリフレクタを用いたものが多く用いられ、リフレクタの楕円焦点に高輝度の放電ランプを設置し、前方及び後方に向けて射出された光をこの回転放物線又は回転楕円面のリフレクタで反射させ、ライトトンネルや導光ロッドに集光するものとしている。
【０００４】
そして、超高圧水銀ランプなどの高輝度の放電ランプを内蔵した光源装置からの光を、カラーホイールユニット内のフィルタを透過させることにより着色し、この着色した光を導光ロッド等を通過させた後、レンズやミラーにより一般的にはＤＭＤと呼ばれるマイクロミラー表示素子に集光させ、この表示素子によりプロジェクタ装置の投影口に向けて反射させるオン状態の光の量によってスクリーン上にカラー画像を表示させるものである。
【０００５】
このようなプロジェクタのカラーホイールユニットは、赤色フィルタ、緑色フィルタ、青色フィルタを有するカラーホイールと、毎秒約１２０回の回転速度でカラーホイールを回転させるホイールモータとから形成されている。このカラーホイールは中心部をホイールモータに接続し、ホイールモータの回転によって回転するものであるため、接続を強固なものとする必要がある。そこで、カラーホイールとホイールモータの接続に関して様々な提案がなされている。
【０００６】
例えば、特開２００５−３２６６７８号公報（特許文献１）では、透光路を設けたフレームに扇形のカラーフィルタを接着し、中心部にホイールモータと接続するためのハブを形成したカラーホイールをホイールモータに螺子止めすることで固定する提案がなされている。
【０００７】
この特許文献１の提案においては、扇形の複数のカラーフィルタを金属等で形成されたフレームに接着し、フレームの中心部に形成したハブをホイールモータに螺子止めすることで、カラーホイールをホイールモータに強固に固定することができる。
【０００８】
又、特開２００５−１８１９５７号公報（特許文献２）では、中心軸、第１結合部を備える第１支持部材、第１結合部と係合する第２結合部を備える第２支持部材、及び少なくとも１個のフィルタ片からなるカラーフィルタを備えたカラーホイールより構成され、第１又は第２支持面上に設けられた突起部とカラーホイールの開孔とを係合させてから、第１支持部材の第１結合部と第２支持部材の第２結合部とを螺合させることで、カラーホイールを第１支持部材と第２支持部材とのあいだに挟み込んで緊合に固定する発明が提案されている。
【０００９】
この特許文献２の提案においては、カラーホイールの開孔と支持面上に設けられた突起部が係合することによりカラーホイールが空回りすることを防止でき、又、第１支持部材と第２支持部材の間で固定することで強固に固定することができる。
【特許文献１】特開２００５−３２６６７８号公報
【特許文献２】特開２００５−１８１９５７号公報
【発明の開示】
【発明が解決しようとする課題】
【００１０】
上述したような従来の技術においては、ガラスで形成されたカラーフィルタを金属等に接着固定する場合、カラーホイールの高速回転中に接着が剥離してしまいカラーフィルタが外れてしまうといった問題点があった。
【００１１】
又、カラーフィルタはガラスで形成されているため、強固に固定する場合に圧力を掛け過ぎると破損してしまうといった問題点があった。又、カラーフィルタの破損を防止するため、圧力を弱めて固定した場合にはカラーホイールの回転中にカラーホイールがホイールモータから外れてしまうといった問題点があった。
【００１２】
そこで、本発明は、カラーホイールの破損を防止し、且つ、ホイールモータに強固に固定することができるカラーホイールユニットと、当該カラーホイールユニットを内蔵するプロジェクタを提供することを目的としている。
【課題を解決するための手段】
【００１３】
本発明のカラーホイールユニット(230)は、色の異なるフィルタを配置したカラーホイール(231)と、ホイールモータ(232)のローター(236)と共に回転するリング状の固定ハブ(239)と、円形板状のハブ本体板(245)の周縁から突出してカラーホイール(231)に接する周縁抑え部(246)を備えた締め付けハブ(240)を有し、締め付けハブ(240)の周縁抑え部(246)によりカラーホイール(231)を固定ハブ(239)に押圧固定しているものである。
【００１４】
又、固定ハブ(239)は、中央に開口を有するリング形状のハブ本体部(242)と、ハブ本体部(242)の中心軸を軸としてハブ本体部（242）の内側周縁から突出するホイール固定部(243)を備え、当該ホイール固定部(243)の外周の直径はカラーホイール(231)の固定用開口部(234)の直径と略同一であり、カラーホイール(231)の固定用開口部(234)に固定ハブ(239)のホイール固定部(243)が貫装されているものである。
【００１５】
そして、固定ハブ(239)と締め付けハブ(240)を圧縮固定する押圧螺子(241)を有し、固定ハブ(239)の内側周縁近傍部と、締め付けハブ(240)のハブ本体板(245)と、周縁抑え部(246)とに囲まれた空間を弾性空間(247)とし、押圧螺子(241)により締め付けハブ(240)と固定ハブ(239)を螺着してカラーホイール(231)を固定しているものである。
【００１６】
又、固定ハブ(239)のホイール固定部(243)は筒状に形成され、締め付けハブ(240)は、周縁抑え部(246)から一定距離をおいた位置に周縁抑え部(246)の高さよりも高い嵌合筒(248)を有し、嵌合筒(248)はホイール固定部(243)の内面に嵌合して固定され、ホイール固定部(243)の先端部とハブ本体板(245)との間に弾性空間(247)を有していることもある。更に、固定ハブ(239)のホイール固定部(243)の内周縁下部にはハブ本体部(242)が突出して段差を形成していることもある。
【００１７】
又、固定ハブ(239)のホイール固定部(243)は筒状に形成され、ホイール固定部(243)の先端の内周縁の延長線上には筒状のカシメ部(249)を有し、当該カシメ部(249)の下部とホイール固定部(243)の先端には段差が形成されており、カシメ部(249)はカシメ用開口部(250)を貫通して締め付けハブ(240)の前方側で先端をカシメることにより固定することもある。
【００１８】
そして、本発明のプロジェクタ(100)は、光源装置(210)と、カラーホイールユニット(230)と、光源側光学系(220)と、表示素子(229)と、投影側光学系(252)と、冷却ファン(190)と、ランプ電源回路(187)やプロジェクタ制御手段(181)とを備え、カラーホイールユニット(230)としては、上述したようなものを用いるものである。
【発明の効果】
【００１９】
本発明によれば、カラーホイールの破損を防止し、且つ、ホイールモータに確実に固定することができるカラーホイールユニットと、当該カラーホイールユニットを内蔵するプロジェクタを提供することができる。
【発明を実施するための最良の形態】
【００２０】
本発明を実施するための最良の形態のプロジェクタ100は、光源装置210と、カラーホイールユニット230と、光源側光学系220と、表示素子229と、投影側光学系252と、冷却ファン190と、ランプ電源回路187やプロジェクタ制御手段181とを備えるものである。
【００２１】
このカラーホイールユニット230は、扇形のフィルタを周方向に形成するようにガラス板に塗膜を形成した薄肉円盤形状であり、中央部に円形状の固定用開口部234を有したカラーホイール231と、モータ本体235と、ローター236とを有したホイールモータ232と、カラーホイール231をホイールモータ232に取付けるホイールモータ取付部233とを備え、ホイールモータ取付部233は、底面部をローター236に接着固定する固定ハブ239と、当該固定ハブ239との間でカラーホイール231を狭持する締め付けハブ240とを備え、固定ハブ239と締め付けハブ240との間には弾性空間247を備えているものである。
【００２２】
又、固定ハブ239は、中央に開口を有するリング形状のハブ本体部242と、当該ハブ本体部242の上面上に位置し、ハブ本体部242の中心軸を軸としてハブ本体部242の内側周縁近傍部から突出するホイール固定部243を備え、当該ホイール固定部243の外周の直径はカラーホイールの固定用開口部234の直径と略同一であり、締め付けハブ240は弾性を備えた金属製であり、円盤形状のハブ本体板245と、カラーホイール231を押圧するハブ本体板245の周縁下部に形成された周縁抑え部246とを備え、カラーホイール231の固定用開口部234に固定ハブ239のホイール固定部243が貫装し、上方から締め付けハブ240の周縁抑え部246が固定ハブ239との間でカラーホイール231を押圧固定しているものである。
【００２３】
そして、ホイールモータ取付部233は、固定ハブ239と締め付けハブ240を圧着固定する押圧螺子241を有し、固定ハブ239と締め付けハブ240の中央には押圧螺子241が貫装する螺子穴244を有し、固定ハブ239におけるホイール固定部243などの内側周縁近傍部と、締め付けハブ240のハブ本体板245と、周縁抑え部246とに囲まれた空間を弾性空間247とし、押圧螺子241を螺着するにより締め付けハブ240と固定ハブ239を圧着してカラーホイール231を固定しているものである。
【実施例】
【００２４】
以下、本発明の実施例を図に基づいて詳説する。本発明に係るプロジェクタは、プロジェクタ制御手段としてのマイクロコンピュータを内蔵し、図１に示すように、略直方体とされるケースの前面パネル120にはレンズカバー121を備えた投影口123を有し、ケースの上面パネル110には電源スイッチ111としてのキーや手動画質調整キー113、自動画質調整キー114、電源ランプインジケータ112、光源ランプインジケータ115、過熱インジケータ116などのキー及びインジケータ類、スピーカを内側に配置した拡声穴118や開閉蓋119を有し、図示しない背面パネルには電源コネクタやパーソナルコンピュータと接続するＵＳＢ端子、画像信号入力用のビデオ端子やミニＤ−サブ端子などの各種信号入力端子を有するプロジェクタ100である。
【００２５】
そして、上面の開閉蓋119の内部には、画質や画像の微調整及びプロジェクタ100の各種動作設定を行うサブキーを有し、ケースの左側面パネル150には吸気口が、右側面パネル140には排気口145が設けられ、内部に冷却ファンを有するものである。
【００２６】
又、底面パネルの前方には突出量を調整可能とした前足部材170を有し、底面パネルの後方左右には固定式の後足部材175を有し、前足部材170の突出量を調整してプロジェクタ100の前方高さを変化させ、スクリーンの高さにあわせた画像の投影を可能としているものである。
【００２７】
そして、このプロジェクタ100の内部には、図２に示すように、超高圧水銀ランプなどの放電ランプ211を内蔵する光源装置210、及び、カラーホイールユニット230や、光源側光学系220として導光ロッド224と、複数枚の光源側レンズ群226と１枚のミラー228を有するものである。
【００２８】
更に、ランプ電源回路187やプロジェクタ制御手段181を取り付けた回路基板180、及び、複数の画素を行方向及び列方向にマトリクス状に配列して入射した光の反射を制御することにより画像を表示する表示素子229、更に、表示素子229からの射出光をスクリーン等の投影面に投影する投影側光学系252である固定レンズ群253や可動レンズ群255を組み込んだものである。
【００２９】
このカラーホイール231は、円板状の光学ガラスの表面に赤、緑、青色のフィルム層を扇形に蒸着して形成しているものであり、光源装置210からの射出光を順次着色するためのカラーフィルタを平面上に形成したものである。
又、導光ロッド224は、光源装置210からの射出光の強度分布を均一にするためのものであり、光源側レンズ群226は導光ロッド224を透過した光を拡散させることなく表示素子229に照射するためのものである。
【００３０】
そして、この回路基板180には、マイクロコンピュータによるプロジェクタ制御手段181が設けられ、この制御手段181により、プロジェクタ内の各回路の動作制御を行い、電源スイッチ111がオン状態とされると光源装置210の放電ランプ211を点灯させると共に、冷却ファン190を放電ランプ211の出力や冷却ファン190のファン形状及び配置などに合わせた定格速度で駆動させ、左側面パネル150の吸気口155から外気を取り入れ、右側面パネル140の排気口145から内部の空気を排出しつつプロジェクタ100をスタンバイ状態とするものである。
【００３１】
そして、放電ランプ211の温度が所定温度に上昇して発光が安定すると、画像信号の入力による画像の投影を可能とするものであり、電源スイッチ111がオフ状態とされると放電ランプ211を消灯すると共に、タイマーにより数分間程度の所定時間だけ冷却ファン190の駆動を持続させてプロジェクタ100の内部を冷却した後に全ての動作を停止させる等の制御も行うものである。
【００３２】
そして、表示素子229は、カラーフィルタのように入射光を着色する手段を備えていないものであり、本実施例では、一般にＤＭＤと略称されるマイクロミラー表示素子（Digital Micromirror Device）を用いている。
【００３３】
このマイクロミラー表示素子は、その正面方向に対して一方向に傾いた入射方向から入射した光を、前記複数のマイクロミラーの傾き方向の切換えにより正面方向のオン状態光線と斜め方向のオフ状態光線とに分けて反射することにより画像を表示するものであり、一方の傾き方向に傾動されたマイクロミラーに入射した光をこのマイクロミラーにより正面方向に反射するオン状態光線とし、他方の傾き方向に傾動されたマイクロミラーに入射した光をこのマイクロミラーにより斜め方向に反射してオフ状態光線とすると共に、このオフ状態光線を吸光板で吸収し、正面方向への反射による明表示と、斜め方向への反射による暗表示とにより画像を表示するものである。
【００３４】
又、光源装置210は、内部に放電ランプ211を備え、内面が反射面とされる楕円球面形状のリフレクタと、このリフレクタの前方にリフレクタ前方の開口を塞ぐように防爆面が設置されるものであり、放電ランプ211はランプ電源回路187から電源を供給可能に導線により接続され、放電ランプ211が発光してリフレクタの反射面により反射して、光源装置210の前方に光を照射するものである。
【００３５】
そして、本実施例のカラーホイールユニット230は、図３に示すように、カラーホイール231と、ホイールモータ232と、カラーホイール231をホイールモータ232に取り付けるホイールモータ取付部233とから構成されている。
【００３６】
このカラーホイール231は、扇状の複数の有色及び白色フィルタが周方向に並べて設けられた薄肉円盤形状であり、図４に示すように、中央部には後述する固定ハブ239のホイール固定部243が貫装する円形状の固定用開口部234を有しているものである。
又、ホイールモータ232は、モータ本体235と、モータ本体235の前方に露出されて回転するローター236とを有し、モータ固定部材237により、モータ取付け板238に固定されているものである。
【００３７】
そして、ホイールモータ取付部233は、底面部をローター236に接着固定する固定ハブ239と、当該固定ハブ239との間でカラーホイール231を狭持する締め付けハブ240と、固定ハブ239と締め付けハブ240を押圧固定する押圧螺子241とを備えている。
【００３８】
この固定ハブ239は、中央に開口を有するリング形状のハブ本体部242と、当該ハブ本体部242の内側周縁近傍部において上面に突出してハブ本体部242の中心軸とその中心軸を同一とするホイール固定部243とを備え、ホイール固定部243の上部は平面として中央には押圧螺子241が位置する螺子穴244が形成されている。又、このホイール固定部243の直径はカラーホイール231の有する固定用開口部234の直径と略同一に形成されている。
【００３９】
又、締め付けハブ240は弾性を備えた金属製であり、円盤形状で中央部に押圧螺子241が位置する螺子穴244を有したハブ本体板245と、ハブ本体板245の周縁下部に肉厚筒状に形成されたカラーホイール231を押圧する周縁抑え部246とを備えている。
【００４０】
そして、カラーホイールユニット230は、ホイールモータ232のローター236の上部に固定ハブ239のハブ本体部242の底面部を接着固定し、固定ハブ239のホイール固定部243にカラーホイール231の固定用開口部234を貫装し、カラーホイール231を固定ハブ239のハブ本体部242の上面部に接着固定し、この上部から締め付けハブ240を被せ、締め付けハブ240の周縁抑え部246でカラーホイール231を押圧し、押圧螺子241で締め付けハブ240の上部から固定ハブ239の螺子穴244に螺着することでカラーホイール231を固定ハブ239と締め付けハブ240で狭持した形状である。
【００４１】
又、この時、締め付けハブ240のハブ本体板245と周縁抑え部246、固定ハブ239のホイール固定部243とで囲まれた空間である弾性空間247を形成しており、押圧螺子241で固定ハブ239と締め付けハブ240を圧縮した場合、この弾性空間247の空間の分だけ締め付けハブ240のハブ本体板245が弾性変形可能となっているものである。
【００４２】
そして、このカラーホイールユニット230は、カラーホイール231のフィルタの周方向の一部を光源装置210からの射出光の光路に介在させるようにプロジェクタの筐体に配置するものである。
【００４３】
又、導光ロッド224は、カラーホイール231の射出側に入射面を対向させる位置として配置し、入射面から入射した光をロッド内周面の反射膜により反射しながら導いて射出面から均一な強度分布の光として射出するものである。
【００４４】
そして、光源側光学系220のミラー228は、光源装置210から射出され、導光ロッド224とカラーホイール231と光源側レンズ群226とを透過した光を、表示素子229に向けて反射することにより表示素子229にその正面方向に対して一方の方向に傾いた方向から光を投射するものである。
【００４５】
又、投影側光学系252は、固定レンズ群253を内蔵する固定鏡筒と、この固定鏡筒に係合され、回転操作により軸方向に進退移動可能とされる可動レンズ群255を内蔵する可動鏡筒とを備え、これらの鏡筒内に組み込まれた複数枚のレンズの組み合わせによりズームレンズを形成する投影側光学系252としているものである。
【００４６】
このように、このプロジェクタ100は、光源装置210から光を一方向に射出させ、カラーホイール231を毎秒約１２０回という高速で回転駆動させることにより、光源装置210からカラーホイール231を介して順次着色して光源側光学系220に入射した光を導光ロッド224により強度分布を均一にして、光源側光学系220としてのレンズ及びミラー228により表示素子229に向けて投射することができるものである。
【００４７】
そして、電源投入時から所定時間が経過して光源装置210からの光が安定すると、カラーホイールを透過することで着色された各色の光の投射周期に同期させて表示素子229に各色の単色画像データを順次書込むことにより、表示素子229の正面方向に反射するオン状態光線により表示素子229に各色の単色画像を順次形成させ、表示素子229から順次射出する各色の単色画像光を、投影側光学系252のレンズ群253、255により拡大して投影面に投影するものであり、投影面に、各色の３色の単色画像が重なったフルカラー画像を表示するものである。
【００４８】
本発明によれば、カラーホイール231をホイールモータ232に固定するためのホイールモータ取付部233として固定ハブ239と締め付けハブ240を用い、カラーホイール231を固定ハブ239と締め付けハブ240の間で狭持する形状としたことにより、カラーホイール231を接着のみで固定する場合と比較して、強固に固定することができ、カラーホイール231の高速回転中にカラーホイール231がホイールモータ232から外れることを防止できる。
【００４９】
又、締め付けハブ240を弾性を備えた金属で形成し、更に、弾性空間247を締め付けハブ240と固定ハブ239の間に形成することにより、押圧螺子241で固定ハブ239と締め付けハブ240を強固に螺着した場合においても、弾性空間247の空間により締め付けハブ240が弾性変形してカラーホイール231に係る圧力を吸収することができ、カラーホイール231が破損することを防止できる。
【００５０】
更に、カラーホイール231を押圧する周縁抑え部246を肉厚の筒形状としたことにより、カラーホイール231の一箇所に力が加わることなく、力を分散して加えることができるため、カラーホイール231の破損を防止することができる。
【００５１】
そして、これらにより従来は高速回転中にカラーホイール231がホイールモータ232から外れてしまうことがあったが、カラーホイール231を確実強固に固定できるため、外れることを防止でき、又、カラーホイール231がホイールモータ232から外れることを防止するために強く固定する場合においてもカラーホイール231の破損を防止できるプロジェクタ100を提供することができ、組立も容易となる。
【００５２】
次に、本実施例で用いるカラーホイールユニット230の変形例について述べる。カラーホイールユニット230は、図５に示すように、カラーホイール231と、ホイールモータ232と、カラーホイール231をホイールモータ232に取り付けるホイールモータ取付部233とから構成されている。尚、カラーホイール231とホイールモータ232の構成は上述したものと同一であるため詳細な説明は省略する。
【００５３】
本変形例のホイールモータ取付部233は、底面部をローター236に接着固定する固定ハブ239と、当該固定ハブ239との間でカラーホイール231を締め付けて固定する締め付けハブ240とを備えている。
【００５４】
この固定ハブ239は、中央に開口を有するリング形状のハブ本体部242と、当該ハブ本体部242における内側周縁近傍部の上面から突出しハブ本体部242の中心軸を軸とする筒状のホイール固定部243とを備えている。又、ホイール固定部243の外周の直径はカラーホイール231の有する固定用開口部234の直径と略同一に形成されている。更に、ハブ本体部242はホイール固定部243の内周縁よりも内側に突出しており、ホイール固定部243とハブ本体部242とで段差を形成している。尚、この段差を形成せずにハブ本体部242の開口部の内周面とホイール固定部243の内周面とを同一面として形成してもよい。
【００５５】
又、締め付けハブ240は弾性を備えた金属製であり、円盤形状であるハブ本体板245と、カラーホイール231を押圧するハブ本体板245の外周縁下部に形成された厚肉筒状の周縁抑え部246とを備えている。又、周縁抑え部246の内周縁から一定距離おいた位置に周縁抑え部246の高さよりも高い薄肉筒状の嵌合筒248を有し、この嵌合筒248の外周の直径はホイール固定部243の内周の直径と略同一であり、ホイール固定部243の内周面に嵌合可能である。
【００５６】
そして、カラーホイールユニット230は、ホイールモータ232のローター236の上部に固定ハブ239のハブ本体部242を接着固定し、固定ハブ239のホイール固定部243にカラーホイール231の固定用開口部234を貫装し、カラーホイール231を固定ハブ239のハブ本体部242に接着固定し、この上部に締め付けハブ240を配置し、周縁抑え部246と固定ハブ239のハブ本体部242の間でカラーホイール231を狭持し、締め付けハブ240のハブ本体板245を上部から押圧して、締め付けハブ240の嵌合筒248を固定ハブ239のホイール固定部243に嵌合して固定するものである。
【００５７】
又、この時、締め付けハブ240のハブ本体板245と嵌合筒248の内面に覆われ、更に、締め付けハブ240のハブ本体板245と嵌合筒248、固定ハブ239のホイール固定部243の先端部に囲まれた空間が弾性空間247として形成されているものである。
【００５８】
本変形例によれば、締め付けハブ240を弾性を備えた金属で形成し、更に、締め付けハブ240のハブ本体板245と嵌合筒248の内面に覆われた弾性空間247と、締め付けハブ240のハブ本体板245と嵌合筒248、固定ハブ239のホイール固定部243の先端部に覆われた空間を形成することにより、締め付けハブ240を押圧することでカラーホイール231を強固に狭持することができ、又、弾性空間247や空間により締め付けハブ240が弾性変形してカラーホイール231に係る圧力を軽減するため、カラーホイール231が破損することを防止できる。
【００５９】
更に別のカラーホイールユニット230の変形例について述べる。カラーホイールユニット230は、図６に示すように、カラーホイール231と、ホイールモータ232と、カラーホイール231をホイールモータ232に取り付けるホイールモータ取付部233とから構成されている。尚、カラーホイール231とホイールモータ232の構成は上述したものと同一であるため詳細な説明は省略する。
【００６０】
そして、本変形例のホイールモータ取付部233は、底面部をローター236に接着固定する固定ハブ239と、当該固定ハブ239との間でカラーホイール231を締め付けて固定する締め付けハブ240とを備えている。
【００６１】
この固定ハブ239は、中央に開口を有するリング形状のハブ本体部242と、当該ハブ本体部242の開口の内周面の延長線上に位置し内周面を同一面とする肉厚筒状のホイール固定部243と、ホイール固定部243の上部に位置し内周面をホイール固定部243と同一とする肉薄筒状のカシメ部249を備えている。又、ホイール固定部243の外周の直径はカラーホイール231の有する固定用開口部234の直径と略同一であり、カシメ部249の外周の直径は後述する締め付けハブ240の開口部の直径と略同一に形成している。
【００６２】
又、締め付けハブ240は弾性を備えた金属製であり、円盤形状で中央に固定ハブ239のカシメ部249が貫装するカシメ用開口部250を有したハブ本体板245と、カラーホイール231を押圧するハブ本体板245の外周縁下部に形成された周縁抑え部246とを備え、周縁抑え部246とハブ本体板245とで囲まれた弾性空間247を形成している。
【００６３】
そして、カラーホイールユニット230は、ホイールモータ232のローター236の上部に固定ハブ239のハブ本体部242を接着固定し、固定ハブ239のホイール固定部243にカラーホイール231の固定用開口部234を貫装すると共に固定ハブ239のハブ本体部242に接着固定し、締め付けハブ240のカシメ用開口部250をカシメ部249が貫通するように締め付けハブ240を配置している。
【００６４】
そして、周縁抑え部246と固定ハブ239のハブ本体部242の間でカラーホイール231を狭持するように締め付けハブ240のハブ本体板245を上部から押圧して、固定ハブ239のカシメ部249の先端を押し広げてカシメることで固定した形状である。
【００６５】
又、固定ハブ239のホイール固定部243の高さは、カラーホイール231の厚さより大きく、カラーホイール231の厚さと締め付けハブ240の周縁抑え部246の高さの合計値より低く形成しているものである。
【００６６】
又、この時締め付けハブ240のハブ本体板245、周縁抑え部246と固定ハブ239のホイール固定部243とに囲まれた弾性空間247が形成されており、締め付けハブ240を押圧した場合、カラーホイール231を強固に固定することができるものである。
【００６７】
本変形例によれば、締め付けハブ240を弾性を備えた金属で形成し、更に、締め付けハブ240に弾性空間247を形成することにより、固定ハブ239のカシメ部249をカシメることでカラーホイール231を狭持することができ、弾性空間247の空間により締め付けハブ240が変形してカラーホイール231に係る圧力を軽減し、カラーホイール231が破損することを防止できる。
尚、本発明は、以上の実施例の形態に限定されるものでなく、発明の要旨を逸脱しない範囲で自由に変更、改良が可能である。
【図面の簡単な説明】
【００６８】
【図１】本発明の実施例にかかるプロジェクタの斜視図。
【図２】本発明の実施例にかかるプロジェクタの上面を取り除いた簡略斜視図。
【図３】本発明の実施例に係るホイールユニットの位置関係を表す図。
【図４】本発明の実施例に係るホイールユニットの断面図。
【図５】本発明の実施例に係る他のホイールユニットの断面図。
【図６】本発明の実施例に係る更に別のホイールユニットの断面図。
【符号の説明】
【００６９】
100  プロジェクタ                    110  上面パネル
111  電源スイッチ                    112  電源ランプインジケータ
113  手動画質調整キー                114  自動画質調整キー
115  光源ランプインジケータ          116  過熱インジケータ
118  拡声穴                          119  開閉蓋
120  前面パネル                      121  レンズカバー
123  投影口                          140  右側面パネル
145  排気口                          150  左側面パネル
155  吸気口                          170  前足部材
175  後足部材                        180  回路基板
181  プロジェクタ制御手段            187  ランプ電源回路
190  冷却ファン                      210  光源装置
211  放電ランプ                      220  光源側光学系
224  導光ロッド                      226  光源側レンズ群
228  ミラー                          229  表示素子
230  カラーホイールユニット          231  カラーホイール
232  ホイールモータ                  233  ホイールモータ取付部
234  固定用開口部                    235  モータ本体
236  ローター                        237  モータ固定部材
238  モータ取付け板                  239  固定ハブ
240  締め付けハブ                    241  押圧螺子
242  ハブ本体部                      243  ホイール固定部
244  螺子穴                          245  ハブ本体板
246  周縁抑え部                      247  弾性空間
248  嵌合筒                          249  カシメ部
250  カシメ用開口部                  252  投影側光学系
253  固定レンズ群                    255  可動レンズ群
【図１】
2008046195.tif 000003
【図２】
2008046195.tif 000004
【図３】
2008046195.tif 000005
【図４】
2008046195.tif 000006
【図５】
2008046195.tif 000007
【図６】
2008046195.tif 000008